(57)【要約】【課題】保持金網の線材絡げ部位を保持して網目の変形や捩れ等の発生を抑制して金網とブロック体とを強固に固定する。【解決手段】ブロック体１に形成したアンカ孔３に打ち込まれるアンカ部材２５が嵌挿される取付孔１７が設けられるとともに保持金網５の網目空間部６内に嵌合されてアンカ部材２５によりブロック体１に対して固定される取付部１１と、この取付部１１に保持金網５の網目を構成する対角位置の相対する少なくとも１組の線材の絡げ部位７，８に対向位置するようにして互いに相対向して一体に形成された一対の保持部１２，１３とから構成され、各保持部１２，１３に、それぞれ線材の外径よりもやや大きな開口形状を有する高さ方向の線材保持溝２０，２３を形成して絡げ部位７，８を嵌合保持する。【選択図】  図２
2004244909.tif 000002
【特許請求の範囲】
【請求項１】
保持金網に対して多数個のブロック体を固定する金網固定金具において、
上記ブロック体に形成したアンカ孔に打ち込まれるアンカ部材が嵌挿される取付孔が設けられるとともに上記保持金網の網目空間部内に嵌合されて上記アンカ部材によって上記ブロック体に固定される取付部と、この取付部の長さ方向の両端部に上記保持金網の網目空間部を構成する対角位置の少なくとも１組の相対する線材の絡げ部位に対向位置するようにして互いに相対向して一体に形成された一対の保持部とからなり、
上記各保持部に、それぞれ上記線材の外径よりもやや大きな開口形状を有する高さ方向の線材保持溝が形成され、これら線材保持溝に上記絡げ部位を挟み込むようにして嵌合することによって上記保持金網に組み付けられて上記保持金網と上記ブロック体とを固定することを特徴とする金網固定金具。
【請求項２】
上記取付部が、上記保持金網の網目空間部に嵌合可能な外形形状を有するとともに上記取付孔が形成された板状の基板部と、この基板部の両端から互いに対向するようにして一体に立設されるとともに側端部に沿って上記保持部を一体に連設した一対の立壁部とからなる略コ字状を呈して形成され、
上記取付部の基板部と略等しい外形形状を有するとともに取付孔が形成された補強基板部と、この補強基板部の両端に互いに対向するようにして一体に立設されかつそれぞれの長さが上記取付部の立壁部の対向間隔と略等しい一対の補強立壁部とからなる全体略コ字状の補強金具が用いられ、
上記補強金具が上記取付部に対して、それぞれの取付孔を互いに連通させて上記補強基板部を上記基板部上に重ね合わせるとともに上記補強立壁部を上記取付部の開放された両側面を閉塞するようにして組み合わされることにより、上記補強立壁部が上記保持壁部間に直交するよう位置してこれら保持壁部の対向間隔を保持することを特徴とする請求項１に記載の金網固定金具。
【発明の詳細な説明】
【０００１】
【発明の属する技術分野】
本発明は、それぞれ所定の組合せ状態で設置される多数個のブロック体を保持金網に対して固定することによって設置状態を保持するようにする金網固定金具に関する。
【０００２】
【従来の技術】
河川の護岸工事や道路或いは造成地の法面工事等においては、多数個の自然石やコンクリートブロック、人工石或いは支持柱（本明細書においてはブロック体と称する。）等を所定の状態に組み合わせて設置し、これらを保持金網によって被覆することにより設置状態を保持する工法が採用されている。また、河川の護岸工事等においては、保持金網に多数個のブロック体を適宜の組合せを以って固定することにより構成したマット体を護岸に敷き詰める工法も採用されている。かかる工法は、水圧や地盤沈下の変化に対応してブロック体の組合せがバラバラにならずに適宜変形し、より強固な護岸を築くとともに通水性を有して水質保全を図り生態系を保護するといった特徴を有している。
【０００３】
従来のブロック体の敷設工法としては、任意の網目に対して複数個の板材を分散して配置し、これら板材に接着剤を塗布して自然石に接合することによって線材を挟み込んで自然石と金網とを一体化する工法が提案されている（例えば特許文献１）。また、ブロック体の敷設工法としては、アンカーネットの線材を押さえ付ける固定プレートをアンカボルトによってブロックに固定することにより、アンカーネットとブロックとを一体化する工法が提案されている（例えば特許文献２）。
【０００４】
また、出願人は、線材を編み目部位において２重或いは３重に絡み上げて全体を略六角形の亀甲模様としたいわゆる亀甲編み金網を用いて自然石を金網に強固に固定し得るようにした自然石固定装置を提供した（特許文献３）。この先願自然石固定装置は、矩形の金属片を２つ折りするとともに、折り曲げ部位に金網の編み目部位を固定する金網把持部を形成し、この把持部から延設された長片部に取付孔を形成した固定金具が用いられる。先願自然石固定装置は、取付孔に対応して自然石に形成した取付孔にアンカ部材を打ち込むとともにアンカ部材にボルトをねじ込むことによって固定金具を介して金網と自然石とを結合してなる。
【特許文献１】
特開平１１−１１７２５７号公報
【特許文献２】
実用新案登録第３０５８５２１号公報
【特許文献３】
特開２００２−３８４４５号公報
【０００５】
【発明が解決しようとする課題】
ところで、上述した特許文献１のブロック体の敷設工法は、板材を自然石に接合する接着剤が環境汚染の原因となるといった問題がある。また、かかるブロック体の敷設工法は、両端部を相対する線材に支架するようにして板材を金網の網目空間部内に位置するようにして自然石に組み付けることから、線材に大きな負荷が加わった場合に絡げ部位が拡がってしまうことがあった。ブロック体の敷設工法においては、このために金網の網目が変形したり線材に捩れが生じて板材の両端部から線材が脱落することがあり、金網と自然石との結合強度が低下してブロック体の組合せがズレるといった問題があった。
【０００６】
また、特許文献２のブロック体の敷設工法においては、ブロックに埋設したアンカーナットにアンカボルトをねじ込むことによって固定プレートを介してブロックとアンカーネットとを一体化する工法であり、接着剤を用いないことから環境汚染の発生等の問題が生じることは無い。しかしながら、かかるブロック体の敷設工法においても、固定プレートをアンカーネットの相対する線材に支架するようにして組み付けることから、上述した特許文献１のブロック体の敷設工法と同様に線材に大きな負荷が加わった場合に絡げ部位が拡がってアンカーネットの網目が変形したり線材に捩れが生じてアンカーネットとブロックとの結合強度が低下してブロックがズレとしまうといった問題があった。
【０００７】
一方、出願人による先願自然石固定装置においては、絡げ部位において線材が２重或いは３重に絡み上げられることにより大きな引張り強度を有する亀甲編み金網を用いることから、線材に大きな負荷が加わった場合でも網目が変形したり線材に捩れが生じることは無く金網に対して自然石を強固に固定することが可能である。しかしながら、かかる先願自然石固定装置においては、亀甲編み金網がやや高価であることから、材料コストが高くなるといった問題があった。
【０００８】
したがって、本発明は、金網の網目を構成する線材の絡げ部位を保持することによって網目の変形や捩れ等の発生を抑制して金網とブロック体とを強固に固定することを可能とする廉価な金網固定金具を提供することを目的に提案されたものである。
【０００９】
【課題を解決するための手段】
この目的を達成する本発明にかかる金網固定金具は、ブロック体に形成したアンカ孔に打ち込まれるアンカ部材が嵌挿される取付孔が設けられるとともに保持金網の網目空間部内に嵌合されてアンカ部材によりブロック体に対して固定される取付部と、この取付部の長さ方向の両端部に金網の網目空間部を構成する対角位置の相対する少なくとも１組の線材の絡げ部位に対向位置するようにして互いに相対向して一体に形成された一対の保持部とから構成される。金網固定金具には、各保持部に、それぞれ線材の外径よりもやや大きな開口形状を有する高さ方向の線材保持溝が形成される。
【００１０】
以上のように構成された本発明にかかる金網固定金具によれば、対角位置の相対する線材の絡げ部位を線材保持溝にそれぞれ嵌合するようにして取付部が網目空間部内に嵌合されてブロック体を被覆した保持金網に組み付けられる。金網固定金具によれば、取付部に設けた取付孔からアンカ部材を嵌挿し、このアンカ部材が取付孔と連通されたブロック体のアンカ孔に打ち込まれる。金網固定金具によれば、アンカ部材によって取付部がブロック体に対して固定されるとともに各保持部が絡げ部位を押さえ付けることによって、ブロック体と保持金網とを結合固定する。金網固定金具によれば、保持部に形成した線材保持溝によって絡げ部位を保持することから、線材に大きな負荷が加わった場合でも保持金網の網目が大きく変形したり線材に捩れが発生することが抑制されるようになり、ブロック体と保持金網との結合状態を強固に保持する。
【００１１】
【発明の実施の形態】
以下、本発明の実施の形態について図面を参照して詳細に説明する。金網固定金具１０は、例えば河川の護岸工事或いは道路や造成地の法面工事等における適宜に組み合わされて設置された多数個のブロック体１と、これらブロック体１を被覆してその組合せ状態を保持する保持金網５との結合用に用いられる。金網固定金具１０は、例えば保持金網５に対して多数個のブロック体１が適宜の組合せ状態で固定され、護岸等に敷き詰められるブロックマット等にも用いられる。
【００１２】
ブロック体１には、図１及び図３に示すように、取付面２に開口して金網固定金具１０を固定するためのアンカ孔３がドリル等によって形成されている。ブロック体１には、例えばアンカ孔３に対してアンカナットを埋め込むようにしてもよい。ブロック体１は、コンクリート等によって人工的に形成される場合には、アンカ孔３の形成やアンカナットの埋め込みが成形時に行われる。ブロック体１は、詳細を省略するが相互に適当な間隙を有するようにしたり凹凸が構成されるように設置面に対して多数個が適宜に組み合わされて設置される。
【００１３】
保持金網５は、例えば亜鉛−アルミ合金めっき鉄線或いはＮＫ（ニューカルス鉄線）超厚アルミめっき鉄線、樹脂被覆めっき鉄線等の金属線材が用いられ、この線材を図１及び図２に示すように、所定のピッチで矩形或いは菱形の網目形状に絡み上げてなる。保持金網５は、ブロック体１を被覆した状態において、アンカ孔３の形成領域に対向した所定の網目空間部６を構成する対角位置の相対する少なくとも１組の線材の絡げ部７，８が後述するように金網固定金具１０によって保持される。勿論、保持金網５については、各線材の絡げ部において線材を２重或いは３重に絡み上げて強度向上が図られた亀甲編み金網を用いてもよいが、上述した構造の金網であっても詳細を後述するように金網固定金具１０によって網目形状が充分保持される。
【００１４】
金網固定金具１０は、例えばめっき処理を施した鉄板或いはステンレス板等の耐防錆性を有する矩形金属板にプレス加工等を施して形成される。金網固定金具１０は、取付部１１と、この取付部１１の長手方向の両端部にそれぞれ一体に連設された第１の保持部１２及び第２の保持部１３とからなる。取付部１１は、図１乃至図３に示すように、保持金網５の網目空間部６に嵌合可能な外形形状を有する矩形板状の基板部１４と、この基板部１４の両端に互いに対向するようにして一体に立設された立壁部１５，１６とからなる略上向きコ字状を呈している。
【００１５】
取付部１１には、基板部１４に取付孔１７が形成されている。取付孔１７は、後述するように金網固定金具１０を保持金網５の所定の網目空間部６に取付部１１を嵌合した状態において、ブロック体１に形成したアンカ孔３と同軸上に位置される。なお、取付孔１７は、アンカ孔３との位置合わせを容易とするために、長孔に形成してもよい。取付部１１は、立壁部１５，１６がそれぞれの高さを保持金網５の線材の外径よりもやや大きく形成されている。したがって、取付部１１は、基板部１４を網目空間部６に嵌合した状態においてこれら立壁部１５，１６の上端部が保持金網５の表面より突出する。
【００１６】
第１の保持部１２は、立壁部１５の上端から側方に向かって水平方向に一体に折曲形成された天井部１８と、この天井部１８の側端縁において立壁部１５と対向するように下方に向かって一体に折曲形成された保持壁部１９とからなる逆Ｌ字状を呈している。保持壁部１９は、その高さが保持金網５の線材の外径よりもやや大きく、立壁部１５とほぼ同等とされている。第１の保持部１２には、保持壁部１９に、その下端から天井部１８に達して第１の線材保持溝２０が形成されている。第１の線材保持溝２０は、その開口幅が保持金網５の絡げ部７の外形とほぼ等しく形成されている。
【００１７】
第２の保持部１３は、第１の保持部１２と左右対称形に形成され、天井部２１と保持壁部２２とからなる逆Ｌ字状を呈して立壁部１６の上端縁に沿って一体に形成されてなる。第２の保持部１３にも、保持壁部２２に、第１の保持部１２側の第１の線材保持溝２０と対向する第２の線材保持溝２３が形成されている。
【００１８】
金網固定金具１０は、第１の保持部１２の保持壁部１９と第２の保持部１３の保持壁部２２との対向間隔が、保持金網５の網目空間部６を構成する相対する絡げ部７，８の対向間隔とほぼ等しい。
【００１９】
金網固定金具１０は、アンカ孔３に組み付けたアンカユニット２５によってブロック体１に固定される。アンカユニット２５には、例えばいわゆるオールアンカと称されるアンカユニットが用いられ、図１及び図３に示すように鋼鉄製の円筒状スリーブ２６と、このスリーブ２６の内孔２７にはめ込まれたアンカピン２８と、スリーブ２６を取付孔１７に対して抜け止めした状態で取付部１１に組み付けるナット２９とからなる。
【００２０】
スリーブ２６は、その内孔２７が先端に向かって次第に小径とされるとともに底付き孔として形成され、その外径がアンカ孔３及び取付孔１７の内径とほぼ等しくかつその軸長がアンカ孔３の深さよりもやや短く形成されている。スリーブ２６には、外周部に先端から所定の高さ位置に、アンカ孔３及び取付孔１７よりも大径とされた係止フランジ部３０が形成されている。スリーブ２６には、先端と係止フランジ部３０との間の外周部に外周ねじが形成されるとともに、他端部にすり割り３１が形成されている。
【００２１】
アンカユニット２５には、スリーブ２６の内孔２７にアンカピン２８が頭部を突出させて圧入状態で組み付けられている。アンカピン２８は、スリーブ２６の内孔２７よりもやや長軸とされており、後述するようにスリーブ２６に打ち込まれることによってすり割り３１を介してスリーブ２６の他端部を拡径させる。
【００２２】
アンカユニット２５は、スリーブ２６が係止フランジ部３０で開口部に係止されるようにしてアンカ孔３に嵌合される。スリーブ２６は、アンカ孔３から突出した外周ねじが形成された先端部位をアンカ孔３から突出させてブロック体１に組み付けられる。したがって、アンカユニット２５は、ブロック体１を被覆する保持金網５の所定の網目空間部６内に位置するようにして、アンカピン２８を圧入状態で組み付けたスリーブ２６が配置される。
【００２３】
なお、アンカユニット２５については、上述したオールアンカに限定されるものではなく、種々のアンカ部材を用いるようにしてもよい。アンカユニット２５は、スリーブ２６を予めアンカ孔３に嵌合した状態でナット２９により金網固定金具１０と一体化するようにしたが、例えば取付孔１７を介してアンカ孔３に直接打ち込むようにしてもよい。かかるアンカユニットは、ナット２９やそのねじ付け作業が不要となり、金網固定金具１０の取付作業を合理化する。
【００２４】
上述した金網固定金具１０は、所定の状態に組み合わされた多数個のブロック体１を被覆する保持金網５にそれぞれ組み付けられる。金網固定金具１０は、保持金網５に対して、第１の保持部１２の保持壁部１９を絡げ部７と対向させるとともに第２の保持部１３の保持壁部２２を絡げ部８と対向させて、取付部１１が網目空間部６に嵌合されて組み付けられる。金網固定金具１０には、取付部１１に形成した取付孔１７からアンカユニット２５のスリーブ２６の先端部が貫通して突出する。
【００２５】
金網固定金具１０は、図２に示すように第１の保持部１２に形成した第１の線材保持溝２０に絡げ部７を嵌合させるとともに第２の保持部１３に形成した第２の線材保持溝２３に絡げ部８を嵌合させる。金網固定金具１０は、取付孔１７から突出したスリーブ２６の先端部にナット２９がねじ込まれることによって、図３に示すようにアンカユニット２５と一体化される。金網固定金具１０は、この状態において取付部１１の基板部１４が底面をブロック体１の取付面２に突き当てられるとともに、第１の保持部１２の保持壁部１９と第２の保持部１３の保持壁部２２とがそれぞれ取付面２に突き当てられる。
【００２６】
アンカユニット２５は、スリーブ２６に金網固定金具１０が一体化された状態において、スリーブ２６に対してアンカピン２８がハンマー等によって打ち込まれる。アンカユニット２５は、アンカピン２８を打ち込むにしたがって図３に示すようにスリーブ２６の先端部がすり割り３１を介して拡径し、この拡径した部位がアンカ孔３内において楔作用を奏することでブロック体１に対して強固に固定される。したがって、アンカユニット２５は、一体化された金網固定金具１０をブロック体１に対して強固に固定する。
【００２７】
金網固定金具１０は、上述したようにアンカユニット２５を介してブロック体１に対して固定された状態において、保持金網５をブロック体１に対して固定する。すなわち、金網固定金具１０は、網目空間部６内において嵌合された取付部１１がアンカユニット２５によってブロック体１に固定される。金網固定金具１０は、図４に示すように網目空間部６を構成する対角位置の絡げ部７，８を第１の保持部１２と第２の保持部１３とによって保持することにより、保持金網５とブロック体１とを一体化する。
【００２８】
金網固定金具１０は、保持金網５の線材に大きな引張り力等が負荷された場合でも、第１の線材保持溝２０と第２の線材保持溝２３とでそれぞれ絡げ部７，８を挟み込んだ状態で保持することから、保持金網５の網目が大きく変形したり線材に捩れが発生することを抑制する。したがって、金網固定金具１０は、保持金網５の線材が外れることを防止してブロック体１と保持金網５との結合状態を強固に保持する。
【００２９】
金網固定金具１０は、取付部１１と、第１の保持部１２及び第２の保持部１３とからなる簡易な形状であり、廉価に形成される。金網固定金具１０は、従来のアンカ部材によってブロック体１に固定する構成と全く同様にして固定されることから作業性にも優れており、また特殊な保持金網５を用いることも無いのでコストが大きくなることも無い。
【００３０】
ところで、上述した金網固定金具１０においては、取付部１１が基板部１４の両端から互いに対向するようにして立壁部１５，１６を一体に立設した略上向きコ字状に形成されることから、例えば取付部１１を押しつぶすような大きな負荷がかけられた場合に立壁部１５，１６が内側に倒れ込む虞がある。金網固定金具１０は、このために取付部１１に一体に連設された第１の保持部１２と第２の保持部１３とがブロック体１の取付面２から浮き上がる状態となって、第１の線材保持溝２０と第２の線材保持溝２３とから保持金網５の絡げ部７，８が脱落してしまう虞がある。
【００３１】
したがって、金網固定金具１０には、必要に応じて図５及び図６に示すように補強金具４０が組み付けられ、この補強金具４０によって立壁部１５，１６の倒れ込みが防止される。補強金具４０も、例えばめっき処理を施した鉄板或いはステンレス板等の耐防錆性を有する矩形金属板にプレス加工等を施して形成され、補強基板部４１と、この補強基板部４１の両端部に互いに対向するようにして一体に立設された一対の補強立壁部４２，４３とからなる全体略コ字状を呈している。
【００３２】
補強金具４０は、図５に示すように補強基板部４１が金網固定金具１０側の基板部１４と略等しい外形を有する矩形板状を呈するとともに、取付孔４４が形成されている。補強金具４０は、詳細を後述するように補強基板部４１を基板部１４に重ね合わせるようにして金網固定金具１０に組み合わされ、この状態において取付孔４４が基板部１４側の取付孔１７と連通される。なお、取付孔４４は、取付孔１７と略同径とされ、アンカユニット２５のスリーブ２６の外径よりもやや大径とされるとともにナット２９よりも小径とされてなる。
【００３３】
補強金具４０は、補強立壁部４２，４３が、それぞれ金網固定金具１０側の立壁部１５，１６と略同一の高さを有して補強基板部４１に一体に形成される。また、補強金具４０は、補強立壁部４２，４３が、立壁部１５，１６の対向間隔とほぼ等しい長さを有して形成されている。補強金具４０は、換言すれば補強立壁部４２，４３が、それぞれ金網固定金具１０側の取付部１１の両側に構成された開口部を閉塞するに足る外形を以って形成されている。
【００３４】
以上のように構成された補強金具４０は、補強立壁部４２，４３を取付部１１の両側開口部にそれぞれ対応位置させるように向けられ、金網固定金具１０に対して図５で示すように補強基板部４１が基板部１４上に重ね合わされて組み付けられる。補強金具４０は、図６に示すように取付孔４４が取付部１１に形成した取付孔１７と連通されて金網固定金具１０に組み付けられる。補強金具４０は、補強立壁部４２，４３がそれぞれの両端部を立壁部１５，１６の内面と直交して梁作用を奏するように位置されて金網固定金具１０に組み合わされる。
【００３５】
金網固定金具１０は、上述したように補強金具４０が組み付けられることにより、立壁部１５，１６の対向間隔が補強立壁部４２，４３によって保持される。金網固定金具１０は、補強金具４０を組み付けた状態で、上述したように保持金網５に対して組み付けられるとともにアンカユニット２５によってブロック体１に固定される。金網固定金具１０は、第１の保持部１２の保持壁部１９を絡げ部７と対向させるとともに第２の保持部１３の保持壁部２２を絡げ部８と対向させて、取付部１１が網目空間部６に嵌合されて組み付けられる。
【００３６】
金網固定金具１０は、取付部１１に形成した取付孔１７と補強金具４０の取付孔４４とを貫通したスリーブ２６の先端部にナット２９がねじ込まれて、アンカユニット２５と一体化される。補強金具４０は、この際にナット２９によって共締めされて金網固定金具１０とアンカユニット２５とに一体化される。金網固定金具１０は、取付部１１の基板部１４と第１の保持部１２の保持壁部１９及び第２の保持部１３の保持壁部２２がそれぞれブロック体１の取付面２に突き当てられる。金網固定金具１０は、第１の保持部１２の第１の線材保持溝２０に絡げ部７を嵌合させて保持するとともに、第２の保持部１３の第２の線材保持溝２３に絡げ部８を嵌合させて保持する。
【００３７】
金網固定金具１０は、一体化されたスリーブ２６に対してアンカピン２８が打ち込まれることによって、スリーブ２６を介してブロック体１と強固に固定される。金網固定金具１０には、上述したように補強金具４０がスリーブ２６とナット２９とにより取付部１１に一体化されており、図６に示すように基板部１４の四方を立壁部１５，１６と補強立壁部４２，４３とが取り囲んで立設された状態を呈している。
【００３８】
金網固定金具１０は、取付部１１を押しつぶすような大きな力が負荷された場合でも、この負荷に対して立壁部１５，１６と補強立壁部４２，４３とが共同してその箱形状を保持して立壁部１５，１６の内側への倒れ込みを防止する。したがって、金網固定金具１０は、立壁部１５，１６に連設された第１の保持部１２の保持壁部１９と第２の保持部１３とがブロック体１の取付面２に突き当てられた状態を保持されることで、第１の線材保持溝２０と第２の線材保持溝２３とによる保持金網５の絡げ部７，８を強固に保持する。
【００３９】
なお、上述した金網固定金具１０においては、取付部１１に第１の保持部１２と第２の保持部１３とを連設し、これらに形成した第１の線材保持溝２０と第２の線材保持溝２３に対角位置の絡げ部７，８をそれぞれ嵌合させて保持するように構成したが、例えば取付部１１の４辺部にそれぞれ保持部を連設して保持金網５の網目空間部６を構成する全ての絡げ部を保持するようにしてもよい。
【００４０】
また、金網固定金具１０は、矩形或いは菱形の網目空間部６を有する保持金網５への適用例を示したが、例えば六角形等の網目空間部を有する保持金網にも適用される。金網固定金具１０は、網目空間部に嵌合される取付部が例えば六角形の外形形状とされるとともに、この取付部に相異なる位置の２個以上の絡げ部に対応して保持部が形成される。なお、上述した金網固定金具１０や補強金具４０は、ブロック体の重量等に応じて変形による脱落を防止するために、適宜厚みの大きな金属材を用いて形成される。
【００４１】
【発明の効果】
以上詳細に説明したように、本発明にかかる金網固定金具によれば、少なくとも対角位置の相対する１組みの線材の絡げ部位を線材保持溝に嵌合させて保持した状態でブロック体と保持金網とを一体化することから、線材に大きな負荷が加わった場合でも保持金網の網目が大きく変形したり線材に捩れが発生することを抑制してブロック体と保持金網との結合状態を強固に保持する。
【図面の簡単な説明】
【図１】実施の形態として示した金網固定金具を用いてブロック体と保持金網とを一体化する状態を示す要部分解斜視図である。
【図２】同要部斜視図である。
【図３】同要部縦断面図である。
【図４】金網固定金具を一部切り欠いて示す要部平面図である。
【図５】金網固定金具と、これを補強する補強金具とを示す分解斜視図である。
【図６】金網固定金具に補強金具を組み合わせた状態の斜視図である。
【符号の説明】
１  ブロック体、２  取付面、３  アンカ孔、５  保持金網、６  網目空間部、７，８  絡げ部、１０  金網固定金具、１１  取付部、１２  第１の保持部、１３  第２の保持部、１４  基板部、１５，１６  立壁部、１８  天井部、１９保持壁部、２０  第１の線材保持溝、２１  天井部、２２  保持壁部、２３  第２の線材保持溝、２５  アンカユニット、２６  スリーブ、２８  アンカピン、２９  ナット、４０  補強金具、４１  補強基板部、４２，４３  補強立壁部、４４  取付孔
【図１】
2004244909.tif 000003
【図２】
2004244909.tif 000004
【図３】
2004244909.tif 000005
【図４】
2004244909.tif 000006
【図５】
2004244909.tif 000007
【図６】
2004244909.tif 000008